(57)【要約】【課題】簡単な構造で屋外での使用を可能とする発光情報表示装置用の光源装置を提供する。【解決手段】光源部１３は、基板３１に実装された１個以上のＬＥＤ２１が導光板２３の端面に対向配置されてなる発光情報表示装置１用の光源装置である。基板３１と導光板２３とは接着剤２９により結合され、当該接着剤２９によりＬＥＤ２１が封止されている。基板３１、ＬＥＤ２１及び導光板２３の端面は、ベース２５の凹入部分４３に挿入された状態で、接着剤２９により、凹入部分４３と一体に結合されている。【選択図】図３
2015165261.tif 000002
【特許請求の範囲】
【請求項１】
基板に実装された１個以上のＬＥＤが導光板の端面に対向配置されてなる発光情報表示装置用の光源装置において、
前記基板と前記導光板とは接着剤により結合され、当該接着剤により前記ＬＥＤが封止されている
発光情報表示装置用の光源装置。
【請求項２】
前記基板、前記ＬＥＤ及び前記導光板の端面は、ベースの凹入部分に挿入された状態で、前記接着剤により、凹入部分と一体に結合されている
請求項１に記載の発光情報表示装置用の光源装置。
【発明の詳細な説明】
【技術分野】
【０００１】
本発明は、裏側から発せられた光により情報を表示する発光情報表示装置用の光源装置に関する。
【背景技術】
【０００２】
駅などの広告や案内表示板等のように、一定の画像や文字等の情報が裏側に配された光源の照射により表示される発光情報表示装置がある。この装置に使用される光源装置として、半導体発光素子であるＬＥＤが利用されたものがある（例えば、特許文献１）。
【０００３】
特許文献１に記載の光源装置は、複数のＬＥＤを導光板の側面に対向配置してなる。ＬＥＤから発せられた光は、導光板の側面から導光板内に入射した後、裏面の凹凸により表側へと反射され、導光板の表面から出射する。
【０００４】
一方、ＬＥＤから発せられる光の取出効率を低下させずに、導光板の側面にＬＥＤを設ける技術が提案されている（例えば、特許文献２）。
特許文献２に記載の技術では、配線基板の主面に実装されたＬＥＤを透明パッケージにより封止してなるＬＥＤアッセンブリーが、導光板の側面に形成された凹部に透明パッケージが嵌るように、導光板に装着されている。
【先行技術文献】
【特許文献】
【０００５】
【特許文献１】特開２００５−３７３４号公報
【特許文献２】特開２００７−１９０２４号公報
【発明の概要】
【発明が解決しようとする課題】
【０００６】
上記特許文献１に記載の光源は、屋内での使用を前提とするものであり、ＬＥＤに対して防水処理が行われておらず、屋外での使用に適していない。一方、特許文献２に記載の技術は、配線基板に実装されているＬＥＤが透明パッケージにより封止されているため、屋外でも使用できるが、構造が複雑であり、コスト高になってしまう。
【０００７】
本発明は、簡単な構造で屋外での使用を可能とする発光情報表示装置用の光源装置を提供することを目的とする。
【課題を解決するための手段】
【０００８】
本発明に係る発光情報表示装置用の光源装置は、基板に実装された１個以上のＬＥＤが導光板の端面に対向配置されてなり、前記基板と前記導光板とは接着剤により結合され、当該接着剤により前記ＬＥＤが封止されている。
【０００９】
また、前記基板、前記ＬＥＤ及び前記導光板の端面は、ベースの凹入部分に挿入された状態で、前記接着剤により、凹入部分と一体に結合されている。
【発明の効果】
【００１０】
本発明に係る発光情報表示装置用の光源装置は、基板と導光板とを結合する接着剤によりＬＥＤが封止されている。このため、屋外での使用が可能となる。また、基板と導光板との結合とＬＥＤの封止とが１つの接着剤により行われていため、安価に実施できる。
【図面の簡単な説明】
【００１１】
【図１】第１の実施形態に係る発光情報表示装置の使用例を示す斜視図である。
【図２】光源部を示す概略斜視図である。
【図３】図２の仮想面Ａでの断面図を矢印方向から見た図である。
【図４】ベースの凹入部分にＬＥＤモジュールを挿入した状態をＬＥＤが実装されている側から見た図である。
【図５】図２のＢ部における断面図である。
【図６】第２の実施形態に係る発光情報表示装置を示す図であり、（ａ）は発光情報表示装置の正面図であり、（ｂ）は発光情報表示装置の断面図である。
【図７】図６の光源部の上部を示す拡大図である。
【図８】第３の実施形態に係る発光情報表示装置の断面図である。
【発明を実施するための最良の形態】
【００１２】
以下、本発明の一態様に係る発光情報表示装置の光源装置の実施形態について、図面を参照しながら説明する。
【００１３】
＜第１の実施形態＞
１．全体構造
図１は、第１の実施形態に係る発光情報表示装置の使用例を示す斜視図である。
【００１４】
発光情報表示装置１は、同図に示すように、支柱３に取付具５を利用して取り付けられている。取付具５は、例えば、Ｚ曲げブラケット７が利用され、上下に２つ設けられている。なお、各Ｚ曲げブラケット７は、一方の平坦部７ａが発光情報表示装置１に、他方の平坦部７ｂが支柱３に、それぞれ固定されている。なお、固定は、ねじや溶接等の公知の固定方法により行われる。
【００１５】
発光情報表示装置１は、情報表示部１１と光源部１３とを有する。ここでの情報表示部１１は、画像や文字等の情報が記載（印刷）された表示シート１５により構成されている。光源部１３は、発光情報表示装置１用の光源装置であり、情報表示部１１を裏側から照射する。
【００１６】
本実施形態の発光情報表示装置１は、情報表示部１１、光源部１３以外に、情報表示部１１及び光源部１３を固定（保持）するフレーム１７を有する。なお、上述のＺ曲ブラケット７はフレーム１７に固定される。
【００１７】
２．各部構成
（１）情報表示部
情報表示部１１は、例えば表示シート１５により構成されている。表示シート１５は、シート材と、シート材の表側の主面に記載された情報とからなる。なお、シート材の裏面が光源部１３と対向する側の面である。また、情報は、例えば液晶表示部等が表示する内容が変化する情報でなく、内容が一定（固定）の情報である。
【００１８】
シート材は、公知の看板用等に使用される樹脂材料からなるシート材である。このようなシート材には、例えば、塩化ビニール、ＰＥＴ等がある。シート材は、耐水性や耐光性を向上させるために、情報が記載された後にＰＶＣ等により表面ラミネートされてもよい。
【００１９】
表示シート１５は、例えば、シート材の裏面に予め設けられた糊により導光板２３に貼着されてもよいし、シート材の裏面に塗布された糊や導光板２３の主面に塗布された糊により貼着されてもよい。
【００２０】
なお、実際には、情報表示部１１を有していない状態や、情報の記載されていないシート材が光源部１３に貼着された状態で、発光情報表示装置１が販売等される可能性もある。従って、発光情報表示装置１は、情報表示部１１を有していない場合もある。
【００２１】
本実施形態では、表示シート１５は、導光板２３の表裏の２主面（表面と裏面である。）に設けられるものとして以下説明する。
【００２２】
（２）光源部
図２は、光源部を示す概略斜視図であり、図３は、図２の仮想面Ａでの断面図を矢印方向から見た図であり、図４は、ベースの凹入部分にＬＥＤモジュールを挿入した状態をＬＥＤが実装されている側から見た図であり、図５は、図２のＢ部における断面図である。
【００２３】
光源部１３は、ＬＥＤ２１、導光板２３、ベース２５，２７及び接着剤２９を有する。光源部１３は、導光板２３の端面とＬＥＤ２１とが接触又は近接するように、導光板２３の端面を含む部分がベース２５の凹入部分４３に挿入され、この状態で、ベース２５の凹入部分４３と導光板２３の端面との間に接着剤２９が配されている。
【００２４】
以下、各部について説明する。
（２−１）ＬＥＤ
ＬＥＤ２１は、所望の光色を発する。例えば、青色光を発するベアチップに対して、青色光を黄色光に波長変換する蛍光体を含有する透光性樹脂材料が塗布され、青色光と黄色光とが混色して、結果的にＬＥＤ２１は白色光を発する。ここでは、ベアチップに透光性樹脂材料が塗布されたものをＬＥＤとしている。
【００２５】
ＬＥＤ２１は複数ある。これら複数のＬＥＤ２１は、図４及び図５に示すように、基板３１上に一列に実装される。ここでのＬＥＤ２１は、基板３１上に実装されたＬＥＤモジュール３３として供給される。
【００２６】
基板３１は、導光板２３の一側面、ここでは、導光板２３の上端に位置する側面（上端面でもある。）に対応した形状をしている。具体的には、ＬＥＤ２１を実装する側から基板３１を見たとき（図４参照）に、細長い形状をしている。基板３１の幅は、図３に示すように、表示シート１５が貼着された導光板２３の厚み（表示シート１５の厚みも含む）以下である。
【００２７】
基板３１は、絶縁板と、絶縁板の一方の主面（ＬＥＤ２１が実装される面）に配線パターンとを有する。絶縁板は、例えば、ガラスエポキシ板、セラミック材料、樹脂材料等により構成される。
【００２８】
配線パターンは、図４に示すように、例えば、接続パターン３５及び端子パターン３７である。接続パターン３５は、実装された複数のＬＥＤ２１を所定の接続形態で、例えば直列接続で電気接続するための導電路である。端子パターン３７は、図外の電源に接続されたケーブル３９と接続パターン３５とを接続するための導電ランドである。端子パターン３７とケーブル３９との接続は、例えば半田４１により行われている。
【００２９】
ＬＥＤ２１は、基板３１側の面に電極端子を有する、所謂、下面両電極タイプであり、例えば、基板３１の接続パターン３５にバンプ等を利用してプリップチップ実装されている。
【００３０】
ここで、ＬＥＤ２１において、発光層と平行な面であって基板３１が存在する側と反対側に位置する面を表面とし、主に表面から光が出射される。
（２−２）導光板
【００３１】
導光板２３は、拡散粒子が透光性樹脂材料に混入されてなる。拡散粒子としては、例えば、シリコーン粒子や、シリカ、ジルコニア、誘電体ポリマー等がある。透光性樹脂材料としては、ポリメチルメタクリレート（ＰＭＭＡ)、ポリエチレンテレフタレート（ＰＥＴ)、ポリプロピレン（ＰＰ)、ポリカーボネート（ＰＣ）等がある。
【００３２】
導光板２３は、ここでは矩形状をしている。導光板２３の側面（端面）の１つ、ここでは上端面がＬＥＤ２１から発せられた光の入射面となっている。当該入射面から入射した光は、導光板２３内を導光して表面裏面から出射する。つまり、入射光は導光板２３内の拡散粒子により進行方向を表面側や裏面側へと変更する。なお、導光板２３の表面及び裏面の２つの主面が光出射面となる。
【００３３】
導光板２３の上端面は、図３に示すように、ＬＥＤ２１の表面と接する状態又はＬＥＤ２１の表面に近接する状態で、後述のベース２５に取り付けられる。
【００３４】
なお、導光板２３の構成ではないが、上述したように、導光板２３の表面と裏面には、表示シート１５が設けられてもよいし、設けられなくてもよい。ここでは、表示シート１５が導光板２３の表面と裏面とに貼着されている。
【００３５】
（２−３）ベース
ベース２５，２７は、図２及び図３に示すように、本実施形態では、表裏に表示シート１５が貼着された導光板２３の上端と下端に設けられる。つまり、導光板２３の上端に装着される上ベース２５と、導光板２３の下端に装着される下ベース２７ａ，２７ｂとがある。以下、上ベース２５と下ベース２７ａ，２７ｂとを区別なく説明するときは、２つを合わせて、上・下ベース２５，２７とする。
【００３６】
上・下ベース２５，２７は、凹入部分４３を有する。具体的には、上・下ベース２５，２７は、長尺状の部材により構成され、凹入部分４３は、長尺状の長手方向に沿って溝状に延伸する。
【００３７】
上ベース２５の凹入部分４３は、少なくともＬＥＤモジュール３３を内部に収納できる幅と深さを有している。なお、ここでの幅は、凹入部分４３の延伸する方向と直交する方向の寸法である。
【００３８】
また、上・下ベース２５，２７の凹入部分４３の幅は、図２及び図３に示すように、表示シート１５が貼着されている導光板２３の上下の端部の厚みより大きい。
【００３９】
ここでは、ＬＥＤモジュール３３の基板３１は横断面形状が図３に示すように矩形状をしているため、凹入部分４３の横断面形状も矩形状をしている。上・下ベース２５，２７は、具体的には、横断面形状が「コ」の字をした、所謂、チャンネル部材により構成されている。
【００４０】
上・下ベース２５，２７の材料として、例えば金属材料や樹脂材料が利用される。金属材料が利用される場合は、軽量性を考慮するとアルミニウムが好ましいし、耐水性等を考慮するとステンレス鋼が好ましい。
【００４１】
上・下ベース２５，２７は、表示シート１５が貼着された状態の導光板２３の上端部と下端部とが各凹入部分４３に挿入された状態で、後述の接着剤２９により導光板２３に固定されている。これにより、表示シート１５が導光板２３から剥がれるのを防止できる。
【００４２】
下ベース２７ａ，２７ｂは、導光板２３の下端における横方向の長さより短く、導光板２３の下端部の２か所に設けられる。
【００４３】
（２−４）接着剤
接着剤２９は、図３に示すように、ＬＥＤ２１と基板３１との実装部分を封止する機能を有する。接着剤２９は、図４及び図５に示すように、基板３１の端子パターン３７とケーブル３９との電気的接続部分を封止する機能を有する。このため、接着剤２９は、絶縁性の樹脂材料により構成される。
【００４４】
接着剤２９は、図３に示すように、ＬＥＤモジュール３３を上ベース２５の凹入部分４３内に収容し、固定する機能を有する。接着剤２９は、基板３１と上ベース２５と導光板２３の上端部とを固着する機能も有している。
【００４５】
具体的には、接着剤２９は、基板３１と導光板２３の端面とを結合しつつ、両者の間に存在するＬＥＤ２１を被覆する。このとき、ＬＥＤ２１と基板３１との実装部分や基板３１の端子パターンとケーブル３９との電気的接続部分を被覆する。
【００４６】
また、ＬＥＤ２１と導光板２３の端面とが近接している場合、両者の間に接着剤２９が介在することになる。このため、接着剤２９として透光性のものが利用される。
さらに、凹入部分４３と基板３１との結合、凹入部分４３と導光板２３との結合も１つの接着剤２９により行われる。
【００４７】
（２−５）光源部の組み立て
光源部１３の組み立ては、まず、ＬＥＤモジュール３３、上・下ベース２５，２７、表示シート１５が貼着された導光板２３を準備する工程と、ＬＥＤモジュール３３を上ベース２５の凹入部分４３内に配置する工程と、上ベース２５の凹入部分４３内に接着剤２９用の樹脂を供給する工程と、導光板２３の上端部を上ベース２５の凹入部分４３に挿入する工程とで主に行われる。
【００４８】
ＬＥＤモジュール３３の準備は、基板３１上にＬＥＤ２１が実装され、ケーブル３９が基板３１の端子パターン３７に接続されたものを準備する。なお、基板３１、ＬＥＤ２１及びケーブル３９からＬＥＤモジュール３３を組み立てる場合も準備するに含まれるとする。
【００４９】
ＬＥＤモジュール３３を上ベース２５の凹入部分４３内に配置する際には、基板３１が上ベース２５の底面と接触するように行う。つまり、ＬＥＤモジュール３３は、ＬＥＤ２１の表面が上ベース２５の凹入部分４３の開口に向くように、凹入部分４３内に配される。
【００５０】
このとき、基板の３１の配線パターンは上ベース２５の開口側に位置するため、上ベース２５の材料として例えば金属材料を使用したとしても、絶縁対策において有意である。このため、基板として、主面に配線パターンが露出した安価な基板を利用することができる。
【００５１】
また、基板３１の幅は凹入部分４３の幅よりも小さいためＬＥＤモジュール３３の配置を容易に行うことができる。このとき、基板３１の幅が凹入部分４３の幅と略同じであれば、基板３１の位置決めが精度良く行えるし、幅の差が大きければ、基板３の裏側に接着剤２９が回り込みやすくなる。
【００５２】
上ベース２５の凹入部分４３内に接着剤２９用の樹脂を供給する工程は、上ベース２５の凹入部分４３内にＬＥＤモジュール３３を配置した後でもよいし、配置する前でもよい。但し、供給量は、導光板２３の上端部を挿入した際に、接着剤不足によって凹入部分４３内と導光板２３との間に隙間が生じないような量である。
【００５３】
ＬＥＤモジュール３３の凹入部分４３内への配置（設置）と、接着剤２９用の樹脂供給とのタイミングに関係なく、最終的には、ＬＥＤモジュール３３は接着剤２９用の樹脂により埋められる状態になる。
【００５４】
従って、ＬＥＤ２１と基板３１との実装部分（電気的接続部分）、基板３１とケーブル３９との電気的接続部分及び配線パターンが、接着剤２９により覆われることになる。これによりＬＥＤモジュール３３において露出していた導電部分が封止されることとなり、屋外の発光情報表示装置１の光源装置としての使用が可能となる。
【００５５】
導光板２３は、凹入部分４３へ挿入する側の端面、つまり上端面がＬＥＤ２１の表面と接する状態になるまで、凹入部分４３内に挿入される。もともと、導光板２３の上端面とＬＥＤ２１の表面とを接触させるように設計しているので、導光板２３の挿入量を把握する（調整する）必要がなく、容易にＬＥＤ２１に対する導光板２３の位置合わせができる。しかも、ＬＥＤ２１の光出射面と導光板２３の光入射面とが接触又は近接するので、ＬＥＤ２１から発せられた光が効率よく導光板２３に入射する。
【００５６】
また、導光板２３の凹入部分４３への挿入の際、基板３１は上ベース２５の底面側に押されるので、基板３１と上ベース２５の底面との接触面積を大きくすることができる。これにより、ＬＥＤ２１の発光時の熱が、基板３１を経由して上ベース２５へと伝わる。
【００５７】
以上説明したように、光源部１３は、ＬＥＤモジュール３３を上ベース２５の凹入部分４３に挿入した状態で、凹入部分４３に接着剤２９（又は接着剤２９用の樹脂）を配した（供給した）後、導光板２３の上端部を凹入部分４３に挿入するという簡単な工程で、光源部１３の組み立てやＬＥＤ２１等の防水対策を行うことができる。
【００５８】
なお、下ベース２７ａ，２７ｂも、上ベース２５と同様に、下ベース２７ａ，２７ｂの凹入部分４３に接着剤２９用の樹脂を供給した後、凹入部分４３に導光板２３の下端が挿入されることで、導光板２３に固定される。
【００５９】
（３）フレーム
フレーム１７は、図１に示すように、導光板２３の周辺部を支持する。フレーム１７の全体の形状は、光源部１３の導光板２３の主面に対して直交する方向から導光板２５を見た（この方向から見たときを正面視とする。）ときの光源部１３の外観形状に対応した枠状をしている。
【００６０】
フレーム１７は、３つの側部を有するフレーム本体５１と、フレーム本体５１に対して着脱自在に設けられた１つの側部５３とを有する。ここでは、光源部１３の正面視形状は、図１に示すように、縦長の長方形をしている。このため、フレーム１７の正面視における全体形状は、縦長の長方形状の枠状をしている。
【００６１】
フレーム本体５１及び側部５３は、横断面形状が矩形状の筒状をし、この筒状をした部分の中心軸に沿った溝５４を有している。
【００６２】
フレーム本体５１は、上部であって水平に配された上横部５５と、下部であって水平に配された下横部５７と、上横部５５と下横部５７との一端同士を連結し且つ垂直に配された縦部５９とを有する。
【００６３】
上横部５５及び下横部５７は、その内部に光源部１３の上・下ベース２５，２７が収納される空間を有し、内周壁からその内部へと凹入する溝５４の幅が導光板２３（表示シート１５を含む。）の挿入を許容する大きさとなっている。
【００６４】
つまり、光源部１３の上・下ベース２５，２７が、フレーム本体５１の上横部５５と下横部５７の他端側（縦部５９が存在する側と反対側である。）からこれらの内部へと挿入され、一端側へと光源部１３がスライドされることで、当該光源部１３がフレーム本体５１に組み込まれる。
【００６５】
なお、縦部５９にも、上端と下端で上・下横部５５，５７の溝５４に連続し且つ縦方向に延伸する溝５４を有する。この溝５４には導光板２３（表示シート１５を含む）が挿入される。
【００６６】
側部５３は、フレーム本体５１の縦部５９と同様に、縦方向に延伸する溝６１を有する。側部５３のフレーム本体５１への装着は、フレーム本体５１に挿入された光源部１３の導光板２３と溝６１とを嵌合させた状態で、側部５３の上下端部がフレーム本体５１の上・下横部５５，５７の他端部にネジ部材６３により固定される。
【００６７】
なお、側部５３には、ＬＥＤモジュール３３と電気的に接続するケーブル３９が通るための貫通孔が設けられている。
【００６８】
＜第２の実施形態＞
第１の実施形態では、光源部１３の導光板２３の表面及び裏面に表示シート１５が貼着されている。しかしながら、情報表示部１１は、表示シート１５以外でも良く、また導光板２３に貼着しなくてもよい。
【００６９】
第２の実施形態では、情報表示部を表示パネルで構成し、光源部を収納する筐体側に表示パネルを設けた発光情報表示装置について説明する。
【００７０】
図６は、第２の実施形態に係る発光情報表示装置を示す図であり、（ａ）は発光情報表示装置の正面図であり、（ｂ）は発光情報表示装置の断面図である。図７は光源部の上部の拡大図である。
【００７１】
１．全体構成
発光情報表示装置１０１は、図６に示すように、表示パネル（情報表示部）１０３と光源部１０５とを有する。表示パネル１０３は筐体１０７に設けられ、光源部１０５は筐体１０７内に格納される。筐体１０７が図外の支柱等に種々の取付具（図示省略）を介して周知の固定方法で取り付けられる。
【００７２】
発光情報表示装置１０１は、内部の光源部１０５から出射された光により表示パネル１０３の情報が裏側から照射される。なお、光源部１０５は、発光情報表示装置１０１用の光源装置である。
【００７３】
２．各部構成
（１）表示パネル
情報表示部である表示パネル１０３は、透光性樹脂材料からなる透光板１１１と、透光板１１１の表面又は裏面に記載された情報１１３とからなる。透光板１１１として、例えば、アクリル樹脂、ＰＥＴ樹脂等を利用できる。
【００７４】
なお、透光板１１１は、屋外での使用を考慮して、耐水性・耐光性の優れた樹脂材料により構成されるのが好ましい。
【００７５】
表示パネル１０３は、後述の筐体１０７の窓１４３，１４７の周辺部の裏面に、光源部１０５の導光板１２３と対向する状態で取り付けられる。
【００７６】
（２）光源部
光源部１０５は、図７に示すように、ＬＥＤ１２１及び導光板１２３を備える。光源部１０５は、第１の実施形態における光源部１３と同様に、ＬＥＤ１２１と導光板１２３とを結合するための上ベース１２５を備え、これらが接着剤１２７により一体で結合されている。
【００７７】
ＬＥＤ１２１は、複数あり、基板１２９に実装されたＬＥＤモジュール１３２として供給される。
【００７８】
光源部１０５は、第１の実施形態の光源部１３と同様な構造をし、同じような方法で組み立てられる。このため、光源部１０５の構造と組み立て方法の説明は省く。
【００７９】
（３）筐体
筐体１０７は、図６に示すように、箱タイプで表板１４５と裏板１４１に表示パネル１０３用の窓１４７，１４３を有するような構造をしている。
【００８０】
筐体１０７は、箱本体１３１と蓋体１３３とを有する。蓋体１３３は、ヒンジ１３５や蝶番等を介して箱本体１３１に対して開閉自在に取り付けられ、留金具１３７やパッチン錠により箱本体１３１に開閉がロックされる。
【００８１】
箱本体１３１の裏板１４１や蓋体１３３の表板１４５には、表示パネル１０３の情報１１３が露出するように窓１４３，１４７が設けられている。筐体１０７は、表裏の２枚の表示パネル１０３を固定するパネル固定手段１５１と光源部１０５を固定する光源固定手段１５３とを有する。
【００８２】
パネル固定手段１５１は、表示パネル１０３を着脱自在に固定できれば良く、その構成は特に限定されるものではない。パネル固定手段１５１は、ここでは、裏板１４１の内面や表板１４５の内面に固定されたスペーサ１５２と、表示パネル１０３を内側から押さえる押さえ板１５５とからなり、押さえ板１５５がねじ１５７によりスペーサ１５２に固定されている。
【００８３】
光源固定手段１５３は、光源部１０５を着脱自在に固定できれば良く、その構成は特に限定されるものではない。光源固定手段１５３は、ここでは、箱本体１３１の上板１６１や下板の内面に固定された段付きブロック１６３と、段付きブロック１６３の段差に嵌められた光源部１０５を押さえる押さえ板１６５とからなり、押さえ板１６５がねじ１６７により段付きブロック１６３に固定されている。
【００８４】
＜第３の実施形態＞
第１及び第２の実施形態では、光源部１３，１０５の導光板２３，１２３の表面及び裏面から光を出射していたが、光源部は導光板の一主面（一例として表面とする）からのみ光を出射するようにしてもよい。
【００８５】
第３の実施形態では、導光板の表面から光を出射する光源部を備える発光情報表示装置について説明する。
【００８６】
図８は、第３の実施形態に係る発光情報表示装置の断面図である。
発光情報表示装置２０１は、図８に示すように、表示パネル（情報表示部）２０３と光源部２０５と蓋部２０７とを有する。光源部２０５は、発光情報表示装置２０１の光源装置である。
【００８７】
情報表示部としての表示パネル２０３は、第２の実施形態に係る情報表示部１０３と同じような構成であり、透光板と、透光板の裏面に記載された情報とを有する。
【００８８】
光源部２０５は、ＬＥＤ２１１と導光板２１３とを有する。ＬＥＤ２１１は、第１及び第２の実施形態に係るＬＥＤ２１，１２１と同様に、複数あり、基板２１５に複数列（ここでは２列であるが、図面に表れていない）で実装されたＬＥＤモジュール２１７として供給される。
【００８９】
導光板２１３は、ここでは、下端面がＬＥＤ２１１から発せられた光の入射面となっている。つまり、導光板２１３の下端面がＬＥＤ２１１の表面と接触する又は近接する。
【００９０】
第３の実施形態では、導光板２１３の表面から光を出射するため、導光板２１３の裏面には反射部材（例えば反射シート）２２１が密接状態で設けられている。なお、反射シートとして、例えば、ポリエステルシートやＰＥＴシートが利用できる。
【００９１】
本実施形態に係る導光板２１３は、実質的に透光性樹脂材料のみから構成されている。なお、第１及び第２の実施形態に係る導光板２３，１２３は、透光性樹脂材料に拡散粒子が混入されている。
【００９２】
このため、第３の実施形態の導光板２１３は、下端面である入射面から入射した光の方向を変更させるために、裏面が凹凸面２１３ａとなっている。なお、凹凸面２１３ａは、例えばレーザー加工や印刷加工により行われる。
【００９３】
導光板２１３の表面には、当該表面から出射した光を拡散させるための拡散部材２２３が設けられている。拡散部材２２３としては、拡散シートや拡散板がある。なお、均一光の要求が低い場合には、拡散部材２２３を有しない場合もあり得る。
【００９４】
光源部２０５は、上記のＬＥＤモジュール２１７、導光板２１３、反射部材２２１及び拡散部材２２３を格納するベース２２５を有する。ベース２２５は、金属材料からなる。ベース２２５は(半）箱状をし、凹入部分２２７を有する。凹入部分２２７はＬＥＤモジュール２１７、導光板２１３、反射部材２２１及び拡散部材２２３の収容部分となる。
【００９５】
凹入部分２２７は、反射部材２２１、導光板２１３及び拡散部材２２３を重ね、導光板２１３の下端面にＬＥＤ２１１を当接するようにＬＥＤモジュール２１７を設けた状態で、これらがちょうど嵌る大きさである。
【００９６】
凹入部分２２７の深さは、反射部材２２１、導光板２１３及び拡散部材２２３を重ねた寸法（厚み）よりも大きい。
【００９７】
第３の実施形態では、表示パネル２０３がベース２２５の凹入部分２２７内に収容される。このため、凹入部分２２７の深さは、反射部材２２１、導光板２１３、拡散部材２２３及び表示パネル２０３を重ねた寸法（厚み）以上である。
【００９８】
ベース２２５の内面は、例えば反射機能を有する場合には、反射部材を不要としてもよい。なお、反射機能は、例えば、金属材料では内面を鏡面仕上げにすることで、樹脂材料では反射膜を塗布することで、実施できる。
【００９９】
接着剤２２９は、ベース２２５の凹入部分２２７内に配されている。接着剤２２９は、反射部材２２１の裏面とベース２２５の底面との接合、反射部材２２１、導光板２１３及び拡散部材２２３の端面とベース２２５の内周面（下面を除く）との接合、ＬＥＤモジュール２１７と導光板２１３の下端面とベース２２５の内面であって下面との接合機能を有する。
【０１００】
接着剤２２９は、ＬＥＤ２１１と基板２１５（接続パターン）との電気的接合部分、配線と基板２１５（端子パターン）との電気的接続部分、基板２１５の配線パターンを覆う封止(被覆）機能も有する。
【０１０１】
ベース２２５の開口を上方に向けて配置したとき、接着剤２２９の上面は、導光板２１３の上面よりも高く、拡散部材２２３の上面よりも低い。これにより、接着剤２２９と表示パネル２０３とが接触して干渉するのを防止できる。
【０１０２】
蓋部２０７は、(半）箱状をし、表示パネル２０３の情報が外部に露出するように、表板２３１に窓２３３を有する。表示パネル２０３は、正面視において、蓋部２０７の窓２３３のサイズよりも大きい。これにより、表示パネル２０３が蓋体２０５から外れるのを防止できる。
【０１０３】
蓋部体２０７は、ベース２２５の開口端部を覆うように、ベース２２５に対して着脱自在に装着される。着脱自在に装着する方法は、特に限定するものではなく、公知の装着方法を用いることができる。ここでは、係合方法を利用し、バックル２３５が用いられている。
【０１０４】
＜変形例＞
１．ＬＥＤ
各実施形態では、ＬＥＤの出射光は白色であったが、目的によっては他の光色を出射してもよい。また、複数のＬＥＤは１列又は２列に配されていたが、他の形態で、例えば、３列以上で配されてもよく、ＬＥＤの配置・配列等特に限定はない。
【０１０５】
実施形態では、複数のＬＥＤは、１つの基板に実装されていたが、例えば、複数の基板に実装されてもよい。
【０１０６】
また、ＬＥＤは、基板上の接続パターンに実装されるタイプであればよく、ベアチップでもＳＭＤでもよく、そのタイプは特に限定されない。
【０１０７】
２．導光板
各実施形態では、導光板は１つの光入射面を有していたが、複数の光入射面を有してもよい。例えば、導光板の上下の端面にＬＥＤが対向配置されていてもよい。さらに、例えば、上端面に対向配置されるＬＥＤが第１の光色を出射し、下端面に対向配置されるＬＥＤが第１の光色と異なる第２の光色を出射するようにしてもよい。
【産業上の利用可能性】
【０１０８】
本発明は、屋外でも使用する発光情報表示装置用の光源装置に有用である。
【符号の説明】
【０１０９】
１      発光情報表示装置
１３      光源部(光源装置）
２１      ＬＥＤ
２３      導光板
２５      上ベース（ベース）
２９      接着剤
３１      基板
４３      凹入部分
【図１】
2015165261.tif 000003
【図２】
2015165261.tif 000004
【図３】
2015165261.tif 000005
【図４】
2015165261.tif 000006
【図５】
2015165261.tif 000007
【図６】
2015165261.tif 000008
【図７】
2015165261.tif 000009
【図８】
2015165261.tif 000010